(57)【要約】【課題】より重要なアラーム情報へ注意を集中させる機能と、他のアラーム情報を表示する機能とを両立させることができるアラーム情報表示装置およびアラーム情報表示方法を提供する。【解決手段】格納手段３１は、プラントで発生したアラームのアラーム情報を当該アラーム情報の重要度およびアラームの発生時刻と対応付けて順次格納する。第１の表示手段３２は、格納手段３１に格納されるアラーム情報のうち重要度が最も高いものとして定義されているアラーム情報のみを表示する。第２の表示手段３３は、格納手段３１に格納されるアラーム情報を、前記重要度の高いアラーム情報に限定することなく表示する。受付手段３４は、第１の表示手段３２による表示または第２の表示手段３３による表示の選択を受け付ける。【選択図】図１
2008046787.tif 000002
【特許請求の範囲】
【請求項１】
プラントで発生したアラームのアラーム情報を表示するアラーム情報表示装置において、
プラントで発生したアラームのアラーム情報を当該アラーム情報の重要度と対応付けて順次格納する格納手段と、
前記格納手段に格納されるアラーム情報のうち所定の基準を満たす重要度の高いアラーム情報のみを表示する第１の表示手段と、
前記格納手段に格納されるアラーム情報を、前記重要度の高いアラーム情報に限定することなく表示する第２の表示手段と、
前記第１の表示手段による表示または前記第２の表示手段による表示の選択を受け付ける受付手段と、
を備えることを特徴とするアラーム情報表示装置。
【請求項２】
前記選択手段は、前記第１の表示手段または前記第２の表示手段による表示画面上でのユーザの操作に従って表示を選択することを特徴とする請求項１に記載のアラーム情報表示装置。
【請求項３】
前記第２の表示手段は、前記格納手段に格納されるアラーム情報を、その重要度ごとにグループ分けして表示することを特徴とする請求項１または２に記載のアラーム情報表示装置。
【請求項４】
前記格納手段は、プラントで発生したアラーム情報を当該アラームの発生日時と対応付けて順次格納し、
前記第１の表示手段および前記第２の表示手段は、アラームの発生時刻の順に従ってアラーム情報を配列表示することを特徴とする請求項１〜３のいずれか１項に記載のアラーム情報表示装置。
【請求項５】
プラントで発生したアラームのアラーム情報を表示するアラーム情報表示方法において、
プラントで発生したアラームのアラーム情報を当該アラーム情報の重要度と対応付けて順次格納するステップと、
前記格納するステップにより格納されるアラーム情報のうち所定の基準を満たす重要度の高いアラーム情報のみを表示するステップと、
前記格納するステップにより格納されるアラーム情報を、前記重要度の高いアラーム情報に限定することなく表示するステップと、
前記重要度の高いアラーム情報のみを表示するステップによる表示または前記重要度の高いアラーム情報に限定することなく表示するステップによる表示の選択を受け付けるステップと、
を備えることを特徴とするアラーム情報表示方法。
【発明の詳細な説明】
【技術分野】
【０００１】
本発明は、プラントで発生したアラーム情報を表示するアラーム情報表示装置およびアラーム情報表示方法に関し、重要なアラーム情報を確実に認識できるとともに、表示可能なアラーム情報が限定されないアラーム情報表示装置およびアラーム情報表示方法に関する。
【背景技術】
【０００２】
プラントで発信されたアラーム情報を表示するシステムとして、アラーム情報を示すメッセージをリアルタイムに画面表示するシステムが知られている。このようなシステムでは、例えば、アラームを２段階の重要度で通知する場合、あるプロセス値が上昇して低レベルの閾値を越えると低レベル（中警報）のアラームが発せられ、このアラームに対応するアラーム情報が表示される。さらに、このプロセス値が上昇を続け、高レベルの閾値を越えると、重度（重警報）のアラームが発せられ、重度のアラームに対応するアラーム情報が新たに表示される。このため、重要度の異なる２つのアラーム情報が並んで表示された状態となる。
【０００３】
特許文献１には、プラントで発生しているアラームをアラーム重要度に応じて表示するアラーム表示装置が記載されている。
【０００４】
【特許文献１】特開平５−１７４２７４号公報
【発明の開示】
【発明が解決しようとする課題】
【０００５】
プラントにおけるアラーム表示に関する機能として、「Eclipse」機能が提案されている。この機能は、同一ソースから２つ以上のアラームが発生している場合、重要でないアラームを表示から消去することにより、オペレータの注意をより重要なアラームに向けさせるものである。例えば、上記の例においては、重度のアラームに対するアラーム情報を表示する際に、低レベルのアラームのアラーム情報を画面から削除し、オペレータに対して重度のアラーム情報のみを提示することで、オペレータに重度のアラームの発生を確実に認識させることができる。
【０００６】
しかし、他のアラーム情報を消去した場合、オペレータが対象機器に関するアラームの履歴や、自分の役割に関係するアラーム全体を参照したい場合に、オペレータの要望に応えることができないという問題がある。このため、従来、このような機能が装備されていても、実際にはほとんど使用されることがなかった。
【０００７】
本発明の目的は、より重要なアラーム情報へ注意を集中させる機能と、他のアラーム情報を表示する機能とを両立させることができるアラーム情報表示装置およびアラーム情報表示方法を提供することにある。
【課題を解決するための手段】
【０００８】
本発明のアラーム情報表示装置は、プラントで発生したアラームのアラーム情報を表示するアラーム情報表示装置において、プラントで発生したアラームのアラーム情報を当該アラーム情報の重要度と対応付けて順次格納する格納手段と、前記格納手段に格納されるアラーム情報のうち所定の基準を満たす重要度の高いアラーム情報のみを表示する第１の表示手段と、前記格納手段に格納されるアラーム情報を、前記重要度の高いアラーム情報に限定することなく表示する第２の表示手段と、前記第１の表示手段による表示または前記第２の表示手段による表示の選択を受け付ける受付手段と、を備えることを特徴とする。
このアラーム情報表示装置によれば、重要度の高いアラーム情報のみの表示、または重要度の高いアラーム情報に限定しない表示のいずれかを選択できるので、より重要なアラーム情報への注意を喚起する機能と、他のアラーム情報を表示する機能とを両立させることができる。
【０００９】
前記選択手段は、前記第１の表示手段または前記第２の表示手段による表示画面上でのユーザの操作に従って表示を選択してもよい。
【００１０】
前記第２の表示手段は、前記格納手段に格納されるアラーム情報を、その重要度ごとにグループ分けして表示してもよい。
【００１１】
前記格納手段は、プラントで発生したアラーム情報を当該アラームの発生日時と対応付けて順次格納し、前記第１の表示手段および前記第２の表示手段は、アラームの発生時刻の順に従ってアラーム情報を配列表示してもよい。
【００１２】
本発明のアラーム情報表示方法は、プラントで発生したアラームのアラーム情報を表示するアラーム情報表示方法において、プラントで発生したアラームのアラーム情報を当該アラーム情報の重要度と対応付けて順次格納するステップと、前記格納するステップにより格納されるアラーム情報のうち所定の基準を満たす重要度の高いアラーム情報のみを表示するステップと、前記格納するステップにより格納されるアラーム情報を、前記重要度の高いアラーム情報に限定することなく表示するステップと、前記重要度の高いアラーム情報のみを表示するステップによる表示または前記重要度の高いアラーム情報に限定することなく表示するステップによる表示の選択を受け付けるステップと、を備えることを特徴とする。
このアラーム情報表示方法によれば、重要度の高いアラーム情報のみの表示、または重要度の高いアラーム情報に限定しない表示のいずれかを選択できるので、より重要なアラーム情報への注意を喚起する機能と、他のアラーム情報を表示する機能とを両立させることができる。
【発明の効果】
【００１３】
本発明のアラーム情報表示装置によれば、重要度の高いアラーム情報のみの表示、または重要度の高いアラーム情報に限定しない表示のいずれかを選択できるので、より重要なアラーム情報への注意を喚起する機能と、他のアラーム情報を表示する機能とを両立させることができる。
【００１４】
本発明のアラーム情報表示方法によれば、重要度の高いアラーム情報のみの表示、または重要度の高いアラーム情報に限定しない表示のいずれかを選択できるので、より重要なアラーム情報への注意を喚起する機能と、他のアラーム情報を表示する機能とを両立させることができる。
【発明を実施するための最良の形態】
【００１５】
以下、図１〜図７を参照して、本発明によるアラーム情報表示装置の一実施形態について説明する。
【００１６】
図１は、本実施形態のアラーム情報表示装置が用いられるプラント制御システムの構成例を示すブロック図である。
【００１７】
図１に示すように、プラント制御システムは、プラント各部に分散配置され、フィールド機器１，１，・・・を制御するフィールドコントローラ２，２，・・・と、プラント制御システム各部からのアラーム情報を取得し、これを表示する端末装置３と、を備える。フィールドコントローラ２，２，・・・および端末装置３は、通信回線４を介して互いに接続されている。
【００１８】
図１に示すように、端末装置３は、プラントで発生したアラームのアラーム情報を当該アラーム情報の重要度およびアラームの発生時刻と対応付けて順次格納する格納手段３１と、格納手段３１に格納されるアラーム情報のうち重要度が最も高いものとして定義されているアラーム情報のみを表示する第１の表示手段３２と、格納手段３１に格納されるアラーム情報を、前記重要度の高いアラーム情報に限定することなく表示する第２の表示手段３３と、第１の表示手段３２による表示または第２の表示手段３３による表示の選択を受け付ける受付手段３４と、を構成する。
【００１９】
図２は、端末装置３の格納手段３１の動作手順を示すフローチャートである。
【００２０】
格納手段３１は、プラント各部から発信されたアラーム情報を受信し、これを格納する。
【００２１】
図２のステップＳ１では、格納手段３１は、アラーム情報が受信されるのを待って、ステップＳ２へ進む。アラーム情報には、アラームの内容を示すメッセージとともに、アラーム情報の発信元（アラームソース）およびアラームの重要度が含まれる。また、アラーム情報にはその発信日時が含まれる。アラーム情報の発信元はフィールド機器１やフィールド機器１が保有するパラメータに対応付けられたタグ名やスロット番号として認識される。
【００２２】
ステップＳ２では、所定の条件に従って古いアラーム情報を削除する。これにより、格納手段３１に格納されたアラーム情報の数を一定に制限することができる。例えば、アラームソースごとに保存するアラーム情報数を定めることもできる。また、同一アラームソースについての同一重要度のアラーム情報の保存数を一定に制限してもよい。
【００２３】
次に、ステップＳ３では、ステップＳ１で受信されたアラーム情報を格納し、ステップＳ１へ戻る。各アラーム情報は、上記のメッセージ、アラーム情報の発信元、アラームの重要度および発信日時が互いに対応付けられたレコードとして、格納される。
【００２４】
次に、端末装置３における表示動作について説明する。
【００２５】
図３は、プロセス値の変動に伴って、アラームが発生する様子を示す図である。図３（ａ）は、プロセス値が所定の閾値を越えて上昇することでアラームが発生する場合を示している。このようなアラームには、その重要度が異なるＨＩアラーム（中警報）と、ＨＨアラーム（重警報）とがある。
【００２６】
プロセス値が上昇し、時刻ｔ１にＨＩアラーム閾値を越えると、ＨＩアラームが発生する。端末装置３は当該アラームのアラーム情報を受信し、このアラーム情報が格納手段３１に格納される。
【００２７】
図４（ａ）は、ＨＩアラームが発生した段階における第１の表示手段３２による表示画面を示している。通常、第１の表示手段３２による表示がデフォルトとして選択されている。
【００２８】
ＨＩアラームのアラーム情報が格納手段３１に格納されると、第１の表示手段３２は格納手段３１から当該アラーム情報を取得し、表示する。図４（ａ）に示すように、画面に表示されるＨＩアラームのアラーム情報５１には、アラーム発生日時５１Ａ、アラームソース５１Ｂ、アラームの重要度５１Ｃが含まれる。
【００２９】
図３（ａ）に示すように、さらにプロセス値が上昇し、時刻ｔ２にＨＨアラーム閾値を越えると、ＨＨアラームが発生する。端末装置３は当該アラームのアラーム情報を受信し、このアラーム情報が格納手段３１に格納される。図４（ｂ）は、ＨＨアラームが発生した段階における第１の表示手段３２による表示画面を示している。
【００３０】
ＨＨアラームのアラーム情報は、ＨＩアラームのアラーム情報よりもより重要なものと定義されているため、第１の表示手段３２は格納手段３１から当該アラーム情報を取得し、これを表示する。図４（ｂ）に示すように、画面上のアラーム表示５１は消去され、ＨＨアラームのアラーム情報５２のみが表示される。画面に表示されるＨＨアラームのアラーム情報５２には、アラーム発生日時５２Ａ、アラームソース５２Ｂ、アラームの重要度５２Ｃが含まれる。
【００３１】
図４（ｃ）は、図４（ｂ）の表示状態から、受付手段３４を介して第２の表示手段３３による表示を選択した場合の表示画面を示している。図４（ｂ）に示す「＋」アイコン６１をクリックすると、図４（ｃ）に示すように、「−」アイコン６２に表示が入れ替わる。また、第２の表示手段３３は、格納手段３１からアラーム情報５２を取得し、アラーム情報５２の下にアラーム情報５１をツリー状に展開表示する。
【００３２】
図４（ｃ）に示す「−」アイコン６２をクリックすると、ツリー表示が折り畳まれ、図４（ｂ）に示す第１の表示手段３２による表示画面に戻る。このように、第１の表示手段３２による表示と、第２の表示手段３３による表示とをユーザの操作によって自由に切り替えることができる。
【００３３】
なお、アラーム情報の重要度を３段階以上にわたり定義してもよく、この場合にも、第１の表示手段３２による表示では、最も重要なアラーム情報のみが表示される。後述のように、第２の表示手段３３による表示では、重要度に関わりなくすべてのアラーム情報が表示される。第１の表示手段３２が表示するアラーム情報は所定の基準を満たすアラーム情報である。
【００３４】
図５は、複数のアラームソースからのアラーム情報が混在して表示されている場合を例示する図である。図５（ａ）は、第１の表示手段３２による表示を示しており、同一ソースからのアラーム情報のうち、最も重要度が高いアラーム情報のみが表示される。また、図５（ａ）に示すように、アラーム情報はその発生日時に従って、時系列順に表示される。図５（ａ）では、より新しいアラーム情報が下段に表示されている。
【００３５】
図５（ａ）に示す「＋」アイコン６１をクリックすると、図５（ｂ）に示すように、第２の表示手段３３は格納手段３１から当該アラームソースについてすべてのアラーム情報を取得し、これを表示する。これにより、当該アラームソースのアラーム情報５４がツリー状に展開表示される。「−」アイコン６２をクリックすると、ツリー表示が折り畳まれ、図４（ｂ）に示す第１の表示手段３２による表示画面に戻る。
【００３６】
また、所定の操作によって、図６に示すように、格納手段３１に格納されているすべてのアラーム情報を時系列順に表示させることもできる。この例では、最新のアラーム情報が最上段に、古いアラーム情報ほど下段に表示される。
【００３７】
図７は、同一ソースからのアラームに複数の重要度のものが含まれている場合の第２の表示手段３３による表示例を示している。
【００３８】
図７の例では、同一ソースからのアラーム情報を、重要度別にグループ分けし、各グループを１まとめにして表示している。また、重要度の高いアラーム情報のグループをより上段に配置している。例えば、ＨＨアラーム(重警報）に関するアラーム情報５５が最も上段に位置し、その下にＨＩアラーム（中警報）に関するアラーム情報５６が配置される。さらに、重要度の低いアラーム情報は、その下方に配置される。
【００３９】
また、格納手段３１に保存されるアラーム情報の数は、上記グループごとに規定される。この例では、グループごとに１０個ずつアラーム情報が保存され、保存されたすべてのアラーム情報が表示されている。
【００４０】
さらに、各グループ内では、アラーム情報を時系列順に配列させている。
【００４１】
図７に示す表示状態から、「−」アイコン６２をクリックすると、ツリー表示が折り畳まれ、第１の表示手段３２によるアラーム情報５５ａのみの表示に切り替わる。他のアラーム情報は消去される。
【００４２】
以上のように、本実施形態のアラーム情報表示装置によれば、必要なアラーム情報を格納手段に保存しつつ、同一ソースの中で最も重要なアラーム情報のみを表示する表示状態と、すべてのアラーム情報を表示させる表示状態とをオペレータが任意に選択できる。このため、同一のアラームソースから通知されるアラーム情報の中で、最も重要なものだけを見せる「Eclipse」機能を実現しつつ、ユーザの選択に従って他のアラーム情報を表示することができる。したがって、オペレータに必要な情報を的確に与えることができるとともに、オペレータは、安心して表示状態を選択するなどの操作を行うことができる。
【００４３】
また、アラーム情報の重要度をユーザが設定できるようにすれば、プラントの状況等に応じて柔軟な表示形態を得ることが可能となる。この場合、図１に示すように、アラーム情報とその重要度とを対応付ける重要度テーブル３５を設け、重要度テーブル３５をユーザが作成、修正可能に構成してもよい。第１の表示手段３２および第２の表示手段３３は、格納手段３１へのアクセスに際して重要度テーブル３５を参照することで、表示に必要なアラーム情報を取得できるため、ユーザにより設定された重要度に従ってアラーム情報を表示することができる。
【００４４】
本発明の適用範囲は上記実施形態に限定されることはない。本発明は、プラントで発生したアラーム情報を表示するアラーム情報表示装置およびアラーム情報表示方法に対し、広く適用することができる。
【図面の簡単な説明】
【００４５】
【図１】本実施形態のアラーム情報表示装置が用いられるプラント制御システムの構成例を示すブロック図。
【図２】格納手段の動作手順を示すフローチャート。
【図３】プロセス値の変動に伴ってアラームが発生する様子を示す図。
【図４】表示画面を例示する図であり、（ａ）は、ＨＩアラームが発生した段階における第１の表示手段による表示画面を示す図、（ｂ）は、ＨＨアラームが発生した段階における第１の表示手段による表示画面を示す図、（ｃ）は、第２の表示手段３３による表示を選択した場合の表示画面を示す図。
【図５】複数のアラームソースからのアラーム情報が混在して表示されている場合を例示する図。
【図６】格納されているすべてのアラーム情報を時系列順に表示する表示画面を示す図。
【図７】同一ソースからのアラームに複数の重要度のものが含まれている場合の表示例を示す図。
【符号の説明】
【００４６】
３      端末装置
３１    格納手段
３２    第１の表示手段
３３    第２の表示手段
３４    受付手段
【図１】
2008046787.tif 000003
【図２】
2008046787.tif 000004
【図３】
2008046787.tif 000005
【図４】
2008046787.tif 000006
【図５】
2008046787.tif 000007
【図６】
2008046787.tif 000008
【図７】
2008046787.tif 000009